(57)【要約】      （修正有）【課題】商品展示時やトラック搬送時などの際に洗浄用ブラシがブラシケースの吊持用杆部から離脱しても、洗浄用ブラシの払拭体が潰れ変形を生じて商品価値が損なわれることのない洗浄用ブラシセットを提供する。【解決手段】洗浄用ブラシセット１は、洗浄用ブラシ２と、ブラシケース３とを備えて成り、ブラシケース３の受皿部７の上面開口９Ｂを蓋う蓋体５１を備え、この蓋体５１には、洗浄用ブラシ２の把手杆４を上下移動自在に通す係合孔５６が上下貫通して形成され、洗浄用ブラシ２の把手杆４には、この把手杆４が吊持用杆部１２の先端部１２Ａから離脱したときに蓋体５１の係合孔５６と係合して洗浄用ブラシ２の払拭体５を受皿部７内で中空保持する段部４Ｅが設けられている。【選択図】図３
0003218839.tif 000002
【実用新案登録請求の範囲】
【請求項１】
把手杆の一端部に払拭体が取り付けられた洗浄用ブラシと、前記洗浄用ブラシの払拭体を収容する受皿部を有するブラシケースと、を備えて成り、前記ブラシケースは、当該ブラシケースに立設された竪柱部と、前記竪柱部の上部に延設されるとともに前記受皿部の上方位置に先端部が配置される天地逆Ｕの字状の吊持用杆部と、を有して成り、前記洗浄用ブラシにおける把手杆の他端部と前記吊持用杆部の先端部とのいずれか一方に磁石が配備され、他方には前記磁石に磁着される他の磁石または磁性体が配備され、前記ブラシケースの吊持用杆部が前記洗浄用ブラシの把手杆に磁着して前記洗浄用ブラシを吊持したときに、前記払拭体が前記受皿部内の空中位置に保持されるとともに前記受皿部の内周面とも非接触の配置となるように構成された洗浄用ブラシセットであって、
前記ブラシケースの受皿部の上面開口を蓋う蓋体を備え、当該蓋体には、前記洗浄用ブラシの把手杆を上下移動自在に通す係合孔が上下貫通して形成され、前記洗浄用ブラシの把手杆には、当該把手杆が前記吊持用杆部の先端部から離脱したときに前記蓋体の係合孔と係合して前記洗浄用ブラシの払拭体を前記受皿部内で中空保持する係止用突部が、設けられていることを特徴とする洗浄用ブラシセット。
【請求項２】
前記洗浄用ブラシの係止用突部が、前記払拭体を有する前記把手杆の下側部分と、当該下側部分よりも太い前記把手杆の上側部分と、の境目に形成された段部で構成されていることを特徴とする請求項１に記載の洗浄用ブラシセット。
【請求項３】
前記蓋体の係合孔が平面視で楕円形ないし長円形に係合され、前記係合孔の短孔径が前記把手杆の下側部分よりも大径で且つ前記係止用突部を係止する孔径に形成され、前記係合孔の長孔径が前記把手杆の上側部分の外径よりも大径に形成されていることを特徴とする請求項２に記載の洗浄用ブラシセット。
【請求項４】
互いに磁着した状態の、前記洗浄用ブラシの把手杆の他端部および前記吊持用杆部の先端部の双方が収容される杆収容筒体を備えていることを特徴とする請求項１から請求項３までのいずれか一項に記載の洗浄用ブラシセット。
【請求項５】
前記洗浄用ブラシの払拭体が、前記把手杆の一端部と、当該一端部に植設された多数のブラシ毛と、から構成されていることを特徴とする請求項１から請求項４までのいずれか一項に記載の洗浄用ブラシセット。
【考案の詳細な説明】
【技術分野】
【０００１】
本考案は、払拭体を有する洗浄用ブラシと、洗浄用ブラシを収容するブラシケースと、を備えて成る洗浄用ブラシセットに関するものである。
【背景技術】
【０００２】
従来、この種の洗浄用ブラシセットは、例えば下記の特許文献１に記載されている。この洗浄用ブラシセットは、図１３に示すように、把手杆４の一端部に払拭体５が取り付けられた洗浄用ブラシ２ｂと、洗浄用ブラシ２ｂの払拭体５を収容する受皿部７を有するブラシケース３と、から構成されている。ブラシケース３は、収容空間８を有するケース本体６の上面９に竪柱部１１が立設され、竪柱部１１の上部に天地逆Ｕの字状の吊持用杆部１２が延設されている。把手杆４の他端部４Ｂに磁石板１５が配備され、吊持用杆部１２の先端部１２Ａに磁石板１６が配備されている。そして、この洗浄用ブラシセットでは、ブラシケース３における吊持用杆部１２の磁石板１６が洗浄用ブラシ２における把手杆４の磁石板１５に磁着して洗浄用ブラシ２を吊持したときに、払拭体５が受皿部７の収容空間８内の空中位置に保持される寸法設定にされている。また、吊持用杆部１２の下端部が把手杆４の上端面に密着して把手杆４を垂直に静止させることにより、払拭体５が受皿部７の内周面とも非接触となるようになっている。
【先行技術文献】
【特許文献】
【０００３】
【特許文献１】登録実用新案第３１９５３９９号公報
【考案の概要】
【考案が解決しようとする課題】
【０００４】
ところで、上記従来の洗浄用ブラシセットでは、吊持用杆部１２に磁着されてぶら下がっている洗浄用ブラシ２ｂが、商品展示の際に見学者に触られたりトラックなどによる商品搬送時に振られたりして、吊持用杆部１２から離脱することがある。吊持用杆部１２に磁着されているときに、払拭体５は受皿部７内のどこにも触れていないのに、把手杆４が吊持用杆部１２から離脱すると、払拭体５が受皿部７の底面に落下する。すると、洗浄用ブラシ２ｂの自重により払拭体５のブラシ毛が押し潰されて潰れ毛部５Ｂ（図１３に示した状態）を生じてしまい、洗浄用ブラシ２ｂの商品価値が損なわれることとなる。
【０００５】
本考案は、上記した従来の問題点に鑑みてなされたものであって、商品展示時やトラック搬送時などの際に洗浄用ブラシがブラシケースの吊持用杆部から離脱しても、洗浄用ブラシの払拭体が潰れ変形を生じて商品価値が損なわれることのない洗浄用ブラシセットの提供を目的とする。
【課題を解決するための手段】
【０００６】
上記目的を達成するために、本考案に係る洗浄用ブラシセットは、把手杆の一端部に払拭体が取り付けられた洗浄用ブラシと、洗浄用ブラシの払拭体を収容する受皿部を有するブラシケースと、を備えて成り、ブラシケースは、当該ブラシケースに立設された竪柱部と、竪柱部の上部に延設されるとともに受皿部の上方位置に先端部が配置される天地逆Ｕの字状の吊持用杆部と、を有して成り、洗浄用ブラシにおける把手杆の他端部と吊持用杆部の先端部とのいずれか一方に磁石が配備され、他方には磁石に磁着される他の磁石または磁性体が配備され、ブラシケースの吊持用杆部が洗浄用ブラシの把手杆に磁着して洗浄用ブラシを吊持したときに、払拭体が受皿部内の空中位置に保持されるとともに受皿部の内周面とも非接触の配置となるように構成された洗浄用ブラシセットであって、ブラシケースの受皿部の上面開口を蓋う蓋体を備え、当該蓋体には、洗浄用ブラシの把手杆を上下移動自在に通す係合孔が上下貫通して形成され、洗浄用ブラシの把手杆には、当該把手杆が吊持用杆部の先端部から離脱したときに蓋体の係合孔と係合して洗浄用ブラシの払拭体を受皿部内で中空保持する係止用突部が、設けられていることを特徴とする構成にしてある。
【０００７】
また、前記構成において、洗浄用ブラシの係止用突部が、払拭体を有する把手杆の下側部分と、当該下側部分よりも太い把手杆の上側部分と、の境目に形成された段部で構成されていることを特徴とするものである。
【０００８】
そして、前記した各構成において、蓋体の係合孔が平面視で楕円形ないし長円形に係合され、係合孔の短孔径が把手杆の下側部分よりも大径で且つ係止用突部を係止する孔径に形成され、係合孔の長孔径が把手杆の上側部分の外径よりも大径に形成されていることを特徴とするものである。
【０００９】
更に、前記した各構成において、互いに磁着した状態の、洗浄用ブラシの把手杆の他端部および吊持用杆部の先端部の双方が収容される杆収容筒体を備えていることを特徴とするものである。
【００１０】
また、前記した各構成において、洗浄用ブラシの払拭体が、把手杆の一端部と、その一端部に植設された多数のブラシ毛と、から構成されていることを特徴とするものである。
【考案の効果】
【００１１】
本考案に係る洗浄用ブラシセットによれば、ブラシケースの受皿部の上面開口を蓋う蓋体を備え、その蓋体には洗浄用ブラシの把手杆を上下移動自在に通す係合孔が上下貫通して形成され、洗浄用ブラシの把手杆には係止用突部が設けられているので、商品展示中に手で触られたり商品搬送中に振動したりするなどして、互いに磁着していた吊持用管部から洗浄用ブラシが離脱しても、洗浄用ブラシの把手杆の係止用突部が蓋体の係合孔に係止される。この係止状態のときに、洗浄用ブラシの払拭体はブラシケースの受皿部内で中空保持されている。このように、払拭体は受皿部の底面まで落ちないので、払拭体のブラシ毛などが潰れることが無く、洗浄用ブラシの商品価値が損なわれることを未然に防止できる。
【００１２】
また、洗浄用ブラシの係止用突部が、払拭体を有する把手杆の下側部分と、当該下側部分よりも太い把手杆の上側部分との境目に形成された段部で、構成されているものでは、係止用突部として機能する段部は簡素な構成で済み、デザイン性の優れた製品を提供できる。
【００１３】
そして、蓋体の係合孔が平面視で楕円形ないし長円形に係合され、係合孔の短孔径が把手杆の下側部分よりも大径で且つ係止突部を係止する孔径に形成され、係合孔の長孔径が把手杆の上側部分の外径よりも大径に形成されているものでは、係合孔の長孔径が把手杆の外径よりも大きいので、把手杆の他端部が蓋体の係合孔に差し込まれる際に、係合孔を短孔径方向外向きに押し広げることができる。これにより、把手杆の上側部分を係合孔に差し込むことが可能となり、係止用突部を越えて把手杆の下側部分まで係合孔を到達させることができる。
【００１４】
更に、互いに磁着した状態の、洗浄用ブラシの把手杆の他端部および吊持用杆部の先端部の双方が収容される杆収容筒体を備えているものでは、洗浄用ブラシが吊持用杆部から離脱したときでも、把手杆の他端部は杆収容筒体内に収容されているので、把手杆が傾くことがない。従って、受皿部内の払拭体が受皿部の内周面に接触することを防止できる。これにより、払拭体に潰れ変形をいっそう確実に防ぐことができる。
【００１５】
また、洗浄用ブラシの払拭体が、把手杆の一端部と、その一端部に植設された多数のブラシ毛と、から構成されているものでは、ブラシ毛を有する払拭体が受皿部の底面に落ちたままであると、ブラシ毛が曲がって潰れたままとなって形が戻らないが、そのように変形しやすいブラシ毛を有する払拭体であっても、本考案の洗浄用ブラシセットに用いれば受皿部の底面に接触しないので、ブラシ毛の潰れを防ぐことができる。
【図面の簡単な説明】
【００１６】
【図１】本考案の一実施形態に係る洗浄用ブラシセットの全体斜視図である。
【図２】前記洗浄用ブラシセットの正面図である。
【図３】前記洗浄用ブラシセットの一部断面を含む側面図である。
【図４】前記洗浄用ブラシの一端部側を拡大して示す部分正面図である。
【図５】前記洗浄用ブラシの他端部側を拡大して示す部分分解斜視図である。
【図６】前記洗浄用ブラシの他端部と前記ブラシケースの吊持用杆部の先端部とが離脱している状態を示す部分拡大側断面図である。
【図７】前記洗浄用ブラシの他端部と前記ブラシケースの吊持用杆部の先端部とが磁着している状態を示す部分拡大側断面図である。
【図８】前記洗浄用ブラシセットの蓋体を示す平面展開図である。
【図９】前記ブラシケースの竪柱部と前記洗浄用ブラシの把手部の各部の平断面を示す図であって、（ａ）は図３におけるＡ―Ａ線矢視断面図、（ｂ）は図４におけるＢ―Ｂ線矢視断面図、（ｃ）は図４におけるＣ―Ｃ線矢視断面図、（ｄ）は図４におけるＦ―Ｆ線矢視断面図である。
【図１０】記洗浄用ブラシの他端部と前記ブラシケースの吊持用杆部の先端部とが離脱している状態を示す一部断面を含む側面図である。
【図１１】前記洗浄用ブラシセットのブラシケースから洗浄用ブラシを取り外した状態を示す斜視図である。
【図１２】前記洗浄用ブラシの一端部側を拡大して示す一部断面を含む部分側面図である。
【図１３】本考案の背景の一例となる従来の洗浄用ブラシセットの一部断面を含む側面図である。
【考案を実施するための形態】
【００１７】
本考案の実施形態を図面に基づいて説明する。尚、以下に述べる実施形態は本考案を具体化した一例に過ぎず、本考案の技術的範囲を限定するものでない。図１は本考案の一実施形態に係る洗浄用ブラシセットの全体斜視図、図２は前記洗浄用ブラシセットの正面図、図３は前記洗浄用ブラシセットの一部断面を含む側面図である。
各図において、この実施形態に係る洗浄用ブラシセット１は、洗浄用ブラシ２と、この洗浄用ブラシ２を収容するブラシケース３と、ブラシケース３の上面開口９Ｂを蓋う蓋体５１と、洗浄用ブラシ４の他端部４Ｂおよび吊持用杆部１２の先端部１２Ａを収容する杆収容筒体５２と、から構成されている。
【００１８】
前記の洗浄用ブラシ２は、棒状の把手杆４と、把手杆４の一端部４Ａに取り付けられた払拭体５と、を備えている。払拭体５は、把手４杆においてブラシ台に相当するブロック状に形成された一端部４Ａと、そのブロック状の一端部４Ａに植設された多数のブラシ毛５Ａ，５Ａ，５Ａ，・・・と、から構成されている。把手杆４の他端部４Ｂには磁石板１５が埋設されている。
【００１９】
前記のブラシケース３は例えばＡＢＳなどの合成樹脂を材料として一体成型されており、平面視で前後に長い楕円形のケース本体６と、ケース本体６内に配置された受皿部７と、ケース本体６の上側周縁部と受皿部７の上側周縁部とをつなぐ上面９と、上面９の後部に形成された装着穴１０と、から構成されている。装着穴１０内には、竪柱部１１の下部１１Ｂに設けられた係止用鍔１４を係止するための、係止用溝１３が形成されている。受皿部７は有底筒状に形成されていて、上面開口９Ｂを有する収容空間８を備えている。この受皿部７の収容空間８内には、洗浄用ブラシ２の払拭体５が収容されるようになっている。
【００２０】
また、ブラシケース３は、その上面９に立設された棒状の竪柱部１１と、竪柱部１１の上部１１Ａに連結される吊持用杆部１２と、を有している。吊持用杆部１２は竪柱部１１の上部１１Ａから延在して連結されている。吊持用杆部１２は、上向きに膨出して湾曲した天地逆Ｕの字状に形成されていて、その先端部１２Ａはブラシケース３の受皿部７の上方位置に配置されている。また、吊持用杆部１２の先端部１２Ａの端面は下方を向いている。吊持用杆部１２の先端部１２Ａには、磁石板１６が埋設されている。この磁石板１６は、洗浄用ブラシ２の磁石板１５と係脱可能に磁着して洗浄用ブラシ２を吊持し払拭体５を空中に保持するようになっている。すなわち、前記の磁石板１５と磁石板１６とから、本実施形態の吊持機構１７が構成される。
【００２１】
前記の吊持機構１７の磁石板１５と磁石板１６は、図５〜図７に示されるように、組み付けられている。これらの磁石板１５，１６は、例えば永久磁石であって磁力の高いネオジム磁石で構成されている。但し、磁石板の構成材料としては、ネオジム磁石に限られず、他の種類の磁石を用いても構わない。
まず、磁石板１５では、把手杆４の他端部４Ｂの上端面４Ｃに、下向きの装着穴２８が形成されている。装着穴２８の底部の中央部分は、上向きに盛り上がった支持台部３０となっている。この支持台部３０の上面に磁石板１５が載置される。そうして、磁石板１５を保持するために、保持具３１が用いられる。上凸出部４７である保持具３１は、底面が開口した有蓋筒状に形成されていて、筒外周面に、装着穴２８の内周面に圧着して係止される係止用鍔３２が全周にわたって形成されている。また、保持具３１の内周面の例えば４ケ所には、支持台部３０の基部外周面および磁石板１５の外周面に圧着してこれらと係合する縦長の係止用突条１８，１８，１８，１８が設けられている。
【００２２】
次に、磁石板１６についてであるが、磁石板１５と同様の構成をほぼ天地逆にした構成である。すなわち、吊持用杆部１２の先端部１２Ａの下端面１２Ｂに、上向きの装着穴３５が形成されている。装着穴３５の天井部の中央部分は、下向きに盛られた支持台部３７となっている。この支持台部３７の下方位置に磁石板１６が配置される。そして、磁石板１６を保持するために、保持具３８が用いられる。保持具３８は、上面が開口した有底筒状に形成されていて、筒外周面に、装着穴３５の内周面に圧着して係止される係止用鍔３９が全周にわたって形成されている。また、保持具３８の内周面の例えば４ケ所には、支持台部３７の基部外周面および磁石板１６の外周面に圧着してこれらと係合する縦長の係止用突条１９，１９，１９，１９が設けられている。
【００２３】
また、ブラシケース３の吊持用杆部１２の磁石板１６が洗浄用ブラシ２の第１係合部１５と係合して洗浄用ブラシ２を吊持したときに払拭体５がブラシケース３の受皿部７内で空中位置に保持されているように、吊持用杆部１２の先端部１２Ａの高さＴと、洗浄用ブラシ２における払拭体５から把手杆４の他端部４Ｂまでの長さＬとの関係が予め設定されている。そして、横架杆部１２における先端部１２Ａの下端面１２Ｂには、上向きに陥入した上凹陥部４６が形成され、洗浄用ブラシ２における把手杆４の上端面４Ｃには、上向きに突出した上凸出部４７が形成されている。このような構成によって、洗浄用ブラシ２の磁石板１５が横架杆部１２の磁石板１６と磁着したときに、横架杆部１２の上凹陥部４６と把手杆４の上凸出部４７とが嵌合して横架杆部１２の下端面１２Ｂと洗浄用ブラシ２の上端面４Ｃとが密接することにより洗浄用ブラシ２を直立静止させて、払拭体５を受皿部７の内周面７Ａと非接触にするようになっている。
【００２４】
更に、洗浄用ブラシ２の把手杆４には、把手杆４の下側部分４Ｄと、この下側部分４Ｄの短外径Ｄ３および短外径Ｄ４よりも太い外径Ｄ２の上側部分４Ｆとの境目に、段部４Ｅが形成されている。この段部４Ｅは側面から視て前向きに下るように傾斜して形成されている。把手部５が吊持用杆部１２の先端部１２Ａから離脱したときに蓋体５１の係合孔５６と係合して洗浄用ブラシ２の払拭体５を受皿部７内で中空保持するようになっており、この段部４Ｅが本考案に云う係止用突部の一例となる。把手杆４の下側部分４Ｄは、平断面で楕円筒状（図４および図９（ｃ）参照、短外径Ｄ３）に形成された部分と、平断面でＤの字筒状（図４および図９（ｄ）参照、短外径Ｄ４）に形成された部分とがある。
【００２５】
前記の蓋体５１は、図８に示すように、ケース本体６の上面開口９Ｂを蓋う大きさ・形状すなわち平面視長円形状に形成された薄板で透明合成樹脂製の蓋本体５３と、蓋本体５３の両側辺に延設された耳部５４，５４と、を備えている。耳部５４，５４は下向きに折り曲げられて、ケース本体６の上端縁９Ａの外側に係止されるようになっている。この蓋体５１には、洗浄用ブラシ２の把手杆４を上下移動自在に通す係合孔５６が上下貫通して形成されている。蓋体５１の係合孔５６は平面視で例えば僅かな楕円形に形成されている。係合孔５６の短孔径Ｅ４は把手杆４の下側部分４Ｄよりも大径で且つ段部４Ｅ（＝外径Ｄ２）を係止する孔径に形成されている。係合孔５６の長孔径Ｅ３（＜Ｅ４）は把手杆４の上側部分４Ｆの外径Ｄ２よりも大径に形成されている。
【００２６】
前記の杆収容筒体５２は、例えば透明合成樹脂製で内径Ｅ１（図３参照）の円筒状に形成されている。杆収容筒体５２の内径Ｅ１は、吊持用杆部１２の外径Ｄ１および把手杆４の他端部４Ｂの外径Ｄ２よりも幾分大きな径にされている。すなわち、この杆収容筒体５２は、把手杆４の磁石板１５および吊持用杆部１２の磁石板１６が互いに磁着した状態で、把手杆４の他端部４Ｂおよび吊持用杆部１２の先端部１２Ａの双方を収容するようになっている。
【００２７】
上記のように構成された洗浄用ブラシセット１の作用を次に説明する。まず、図１１に示した分解状態から、天地逆向きに上下反転させた蓋体５１の支持孔５５に、吊持用杆部１２の先端部１２Ａを通し、吊持用杆部１２の逆Ｕの字状部分を通過させるうちに蓋体５１が上下反転し、その後竪柱部１１を通過させ、ケース本体６の近くまで蓋体５１を持ってくる。そして、蓋体５１の係合孔５６に、洗浄用ブラシ２の把手杆４の他端部４Ｂが差し込まれる。このとき、係合孔５６の短孔径Ｅ４は把手杆４の外径Ｄ２よりも小さいが、係合孔５６の長孔径Ｅ３が把手杆４の外径Ｄ２よりも大きいので、係合孔５６を短孔径Ｅ４方向外向きに押し広げることができる。これにより、把手杆４の上側部分４Ｆを係合孔５６に差し込めることが可能となり、段部４Ｅを越えて下側部分４Ｄまで係合孔５６を到達させることができる。
【００２８】
そうして、洗浄用ブラシ２の払拭体５を受皿部７内に収容し、蓋体５１を上端面９Ａ上の規定位置に載置する。更に、杆収容筒体５２の上端側から吊持用杆部１２の先端部１２Ａを筒内に差し込み、杆収容筒体５２の下端側から把手杆４の他端部４Ｂを筒内に差し込んで、吊持用杆部１２の磁石板１６に把手杆４の磁石板１５を磁着させる。このようにして組み立てると、図１〜図３に示した態様の洗浄用ブラシセット１が完成する。
【００２９】
このように完成した状態の洗浄用ブラシセット１は商品展示コーナーなどに展示され、見学者などの目に留まる。このとき、見学者が洗浄用ブラシ２に触って把手杆４を引き下げると、磁石板１５〜１６間の磁力に抗して、把手杆４の上端面４Ｃが吊持用杆部１２の下端面１２Ｂから離脱し、図１０に示すように、把手杆４が下降する（図中の矢印Ｓ）。しかしながら、把手杆４の段部４Ｅが蓋体５１の係合孔５６の孔縁に係止されて停止するので、払拭体５のブラシ毛５Ａ，５Ａ，５Ａ，・・・は受皿部７の底面に接触することがなく、洗浄用ブラシ２の商品価値の低下を防ぐことができる。このような離脱現象はトラックなどによる商品搬送時にも起こり得るが、その場合も同様に、払拭体５のブラシ毛５Ａの潰れ変形を防ぐことができる。
【００３０】
加えて、この洗浄用ブラシセット１は杆収容筒体５２を備えているので、洗浄用ブラシ２が吊持用杆部１２から離脱したときでも、把手杆４の他端部４Ｂは杆収容筒体５２内に収容されたままなので、把手杆４が蓋板５１の係合孔５６を支点として傾くことがない。従って、受皿部７内の払拭体５が受皿部７の内周面７Ａに接触することを防止できる。これにより、ブラシ毛５Ａの潰れ変形をいっそう確実に防ぐことができる。
【００３１】
一方、洗浄用ブラシ２を使用する場合には、把手杆４が押し下げられて他端部４Ｂが杆収容筒体５２から抜き取られ、把手杆４が蓋板５１とともに持ち上げられて払拭体５がケース本体６から取り出される。蓋体５１の係合孔５６から段部４Ｅを通過させて、把手杆４が抜き取られる。つぎに、吊持用杆部１２の先端部１２Ａから杆収容筒体５２が取り外される。蓋体５１の支持孔５５に竪柱部１１および吊持用杆部１２を通過させて、蓋体５１が吊持用杆部１２から抜き取られる。これにより、図１１に示すように、全ての構成部品がバラバラになって使用可能な状態となる。この場合、払拭体５が受皿部７内に収容され把手杆４の磁石板１５が吊持用杆部１２の磁石板１６に磁着される。すると、払拭体５は受皿部７内で空中位置に配置されて、受皿部７の底面はもとより内周面７Ａとも非接触な状態に保持される。
【００３２】
そして、洗浄用ブラシ２の把手杆４を手で持って引き下げると、この引き下げ力が磁石板１６と磁石板１５との磁力に打ち勝ったとき、洗浄用ブラシ２の把手杆４がブラシケース３の吊持用杆部１２から離れて洗浄用ブラシ２が取り外される。そして、例えばトイレ掃除などに使用した後の洗浄用ブラシ２をブラシケース３に収容する際には、洗浄用ブラシ２の払拭体５をブラシケース３の受皿部７内に装入し、その状態で洗浄用ブラシ２の把手杆４の他端部４Ｂをブラシケース３の吊持用杆部１２の先端部１２Ａに近接する。すると、磁石板１５が磁石板１６と磁着して、洗浄用ブラシ２が吊持用杆部１２に吊持される。このとき、吊持用杆部１２の先端部１２Ａと把手杆４の長さの寸法関係により、払拭体５は受皿部７内の空中位置に保持されている。
【００３３】
上記したように、この実施形態の洗浄用ブラシセット１によれば、ブラシケース３の吊持用杆部１２に洗浄用ブラシ２を吊持させたときに、洗浄用ブラシ２の払拭体５をブラシケース３の受皿部７内の空中位置に保持することができる。これにより、払拭体５の周囲が空気で囲まれるから、払拭体５の乾きを早くすることができる。その結果、雑菌の繁殖や悪臭の発生を抑制することが可能となる。
【００３４】
そして、洗浄用ブラシ２の係止用突部は、把手杆４の下側部分４Ｄと上側部分４Ｆの境目に形成された段部４Ｅで構成されているので、簡素な構成で済みデザイン性に優れている。この場合、段部４Ｅは前向きに低くなる傾きで形成されている。把手杆４の軸心に対する段部４Ｅの前後傾斜角は、ケース本体６の上端縁９Ａの前後傾斜角とほぼ同じにされている。すなわち、洗浄用ブラシ２が落下して段部４Ｅが蓋板５１の係合孔５６に係止されたときにも、段部４Ｅおよびケース本体６の上端縁９Ａの角度設定のおかげで、把手杆４はほぼ垂直な姿勢を保つことができる。
【００３５】
尚、上記の実施形態では、ブラシ毛５Ａを有する払拭体５を例示したが、本考案はそれに限定されない。例えば、図１２に示すようなボンボン様で球状の払拭体５ａを用いても構わない。この洗浄用ブラシ２ａでは、把手杆４ａの一端部４Ａａに、側面から杆内部に陥入した装着窓２０が形成されている。装着窓２０の底面は水平直線面である係止用棚部４５となっている。また、一端部４Ａａの下端面には、挿通穴２１が上向きに形成されていて、装着窓２０の係止用棚部４５に開口している。この把手杆４ａの一端部４Ａａにも、係止用突部が設けられている。
【００３６】
前記の払拭体５ａは無数の刷毛２７で形成され、刷毛２７はポリエステル製で多角断面形状を持つマイクロファイバーを材料として構成されている。この刷毛２７は便器を傷つけにくい反面、水だけでも汚れを落とすことができ、落とした汚れがこびり付きにくい性質を有している。このような刷毛２７は保持部材２２で束ねられてしっかりと保持される。前記の保持部材２２は、一カ所で割られたリング部２３と、リング部２３の分割位置の両側からリング径方向外向きに突出して形成された２本の脚部２４，２４と、脚部２４，２４の先端部から互いに離間する方向に突出して形成された２つの係止突起２５，２５と、から一体に形成されている。リング部２３内は無数の刷毛２７を収容するための束ね用空間２６となっている。２つの係止突起２５，２５に近い部分の脚部２４，２４の間には、互いに内向きに撓み変形できるような隙間が形成されている。
【００３７】
そして、無数の刷毛２７がそれぞれの毛長手方向の中央部が保持部材２２のリング部２３の束ね用空間２６内に充填され、この状態で保持部材２２の係止突起２５，２５が把手杆４ａの一端部４Ａａの下端面側から挿通穴２１を通される。そのうち、係止突起２５，２５が挿通穴２１を通過して装着窓２０に届くと、外向きに広がって係止用棚部４５に係止される。これにより、無数の刷毛２７がリング部２３の内周面で締め付けられ、刷毛２７の両端側が展開してリング部２３を中心とするボンボン状の球体となる。このようなボンボン状の払拭体５ａでも、受皿部７の底面に落ちると、自重により刷毛２７，２７，２７，・・・が潰れて商品価値を損なうことがある。しかしながら、係止用突部を有する把手杆４ａと、係合孔５６を有する蓋体５１とを用いることにより、洗浄用ブラシ２ａの商品価値が損なわれることを防止できる。
【００３８】
また、上記では、把手杆４において細径の下側部分４Ｄと太径の上側部分４Ｆとの境目の段部４Ｅを係止用突部として例示したが、本考案はそれに限定されない。例えば、払拭体５近傍位置の把手杆４の外周面に突設された棒状突起などを、係止用突部として用いることも可能である。
【００３９】
また、上記では、吊持機構として磁石板１５と磁石板１６を用いた例を示したが、本考案はそれに限定されない。例えば、吊持用杆部１２と把手杆４のいずれか一方に磁石を配備し、他方には、前記の磁石に磁着される例えば鉄板等の磁性体あるいは別の磁石を配備しても構わない。
【００４０】
そして、上記では、吊持用杆部１２の先端部１２Ａに上凹陥部４６を設け、把手杆４の他端部４Ｂに上凸出部４７を設けた例を示したが、例えば上下逆に、すなわち吊持用杆部１２側に保持具３１を取り付けて下凸出部とし、把手杆４側に保持具３８を取り付けて下凹陥部とすることも可能である。
【符号の説明】
【００４１】
１  洗浄用ブラシセット
２，２ａ  洗浄用ブラシ
３  ブラシケース
４，４ａ    把手杆
４Ａ，４Ａａ  一端部
４Ｂ  他端部
４Ｃ  上端面
４Ｄ  下側部分
４Ｅ  段部（係止用突部）
４Ｆ  上側部分
５，５ａ  払拭体
５Ａ  ブラシ毛
６    ケース本体
７    受皿部
７Ａ  内周面
９Ｂ  上面開口
１１  竪柱部
１１Ａ  上部
１２  吊持用杆部
１２Ａ  先端部
１２Ｂ  下端面
１５  磁石板（磁石）
１６  磁石板（磁石）
５１  蓋体
５２  杆収容筒体
５６  係合孔
Ｄ２  外径
Ｄ３，Ｄ４  短外径
Ｅ１  内径
Ｅ３  長孔径
Ｅ４  短孔径
【図１】
0003218839.tif 000003
【図２】
0003218839.tif 000004
【図３】
0003218839.tif 000005
【図４】
0003218839.tif 000006
【図５】
0003218839.tif 000007
【図６】
0003218839.tif 000008
【図７】
0003218839.tif 000009
【図８】
0003218839.tif 000010
【図９】
0003218839.tif 000011
【図１０】
0003218839.tif 000012
【図１１】
0003218839.tif 000013
【図１２】
0003218839.tif 000014
【図１３】
0003218839.tif 000015